(57)【要約】【課題】ＬＥＤ光源の点灯時には足元灯と誘導灯の２つの機能を有し、不点灯時には意匠的に優れた見映えを有し、低消費電力、長寿命で信頼性の高いＬＥＤフットライトを実現する。【解決手段】ハウジング５とレンズ４で構成された密閉空間内に、リフレクタ３とＬＥＤ１及び回路部品実装基板２とを内設してＬＥＤフットライトが構成されている。リフレクタ３は表面が高反射率面の隆起部が縦横連続して形成されており、配光特性制御部１７、ローレット部１８及び化粧パネル部１６の３つの部分から構成されている。配光特性制御部１７はＬＥＤ光を反射して配光パターンを制御することによって床面を照明する足元照明に寄与し、ローレット部１８はＬＥＤ光を歩行者に向けることによって歩行者の進路を認識させる誘導表示に寄与し、化粧パネル部１６はＬＥＤフットライトを観視したときの見映えを向上させて外観意匠性に優れた照明装置の演出に寄与する。【選択図】  図１
2006331988.tif 000002
【特許請求の範囲】
【請求項１】
透光性部材からなるレンズとハウジングとによって気密空間が形成され、該気密空間内に少なくとも前記レンズと対向する面を反射面とするリフレクタと、
前記反射面の一部に光を照射するＬＥＤとを有するＬＥＤフットライトであって、
前記リフレクタはＬＥＤから発せられる光を反射すると同時に配光制御して前記ＬＥＤフットライトの中心軸を含む水平面よりも略下方に向ける反射面を有することを特徴とするＬＥＤフットライト。
【請求項２】
前記リフレクタがＬＥＤから発せられる光を反射すると同時に配光制御して前記ＬＥＤフットライトの中心軸を含む水平面よりも略上方に向ける反射面を有することを特徴とする請求項１に記載のＬＥＤフットライト。
【請求項３】
前記リフレクタがＬＥＤから発せられた光の反射に寄与しない反射面を有していることを特徴とする請求項１又は２の何れか１項に記載のＬＥＤフットライト。
【請求項４】
前記リフレクタの反射面がアルミ蒸着膜又はクロムメッキ膜の少なくとも何れか一方で構成されていることを特徴とする請求項１〜３の何れか１項に記載のＬＥＤフットライト。
【請求項５】
前記レンズの主光出射面が配光制御に寄与しない素通しレンズで構成されていることを特徴とする請求項１〜４の何れか１項に記載のＬＥＤフットライト。
【発明の詳細な説明】
【技術分野】
【０００１】
本発明は、ＬＥＤを光源とするフットライトに関するものであり、詳しくは、足元照明、誘導標識、一般照明等に使用可能なＬＥＤフットライトに関する。
【背景技術】
【０００２】
従来のＬＥＤフットライトは屋内、屋外を問わず床面或いは地面を照明するものであり、歩行者の足元を照らすことによって歩行時の安全を確保するために設置される照明装置であった。
【０００３】
このようなフットライトの例として、以下のような構造のものが提案されている。それは、図８に示すように、前面が開口し後面が閉口した内部空間５０を有するケース５１の内部に、回路部品５２〜５５を実装した基板５６と光源となるＬＥＤ５７を実装した基板５８の２枚の基板が収納されている。そして、ケース５１の内部にシリコーン樹脂５９を充填してＬＥＤ５７の上部まで樹脂封止することによって、ＬＥＤ５７、回路部品５２〜５５及びそれらを実装した基板５６、５８の防水、防湿を図ると共に、ＬＥＤ５７及び回路部品５２〜５５の一部から発生する熱に対する放熱効果を持たせるようにしたものである（例えば、特許文献１参照。）。
【０００４】
また、上記ＬＥＤを光源とするフットライト（ＬＥＤフットライト）の設置方法は、前面がアルミダイキャストなどの化粧板で形成されてその一部が開口した内部空間を有する筐体の内部にフットライトを取り付ける。そして、予めマンションなどの建築物の外壁に埋め込まれた前面が開口した内部空間を有する箱体の内部に、前記筐体を挿入して固定し、光出射孔となる箱体の開口部にパッキンを介してガラス板を嵌め込むような構成にしている。
【０００５】
この場合、筐体の内部にはフットライトを取り付けたときにＬＥＤ光源から発せられた光が所定の方向に向けて照射されるように予め調整されたフットライト取付金具が設けられており、前記フットライト取付金具を介してフットライトを取り付けた筐体を箱体に挿入して固定することにより所望する配光特性が得られるようになっている。
【特許文献１】特開２００４−２４７０７５号公報
【発明の開示】
【発明が解決しようとする課題】
【０００６】
ところで、上記従来のＬＥＤフットライトは、ＬＥＤ光源の向きを設定することによって、ＬＥＤ光源から発せられた直接光によって所望する範囲を照射するものである。そのため、比較的狭指向性を有するＬＥＤ光源でフットライトに要求される床面或いは地面に対する照射面積を確保するためには、フットライトを床面或いは地面からある程度（約４００〜５００ｍｍ）の高さに設置することが必要となる。
【０００７】
その場合、光源と照射面との間に距離があるために、階段など特に明るさを必要とする場所においては十分な光量が得られないことがあった。これを解決する手段として、ＬＥＤ光源の実装数を増やしてフットライトから放出される光の光量を増加させ、目標照射面に到達する光量を増やして満足する明るさを得る方法が考えられる。
【０００８】
但し、この方法は、フットライトを構成する部品点数が増加するために製造コストが上昇すると共に、ＬＥＤ光源から放出される光の利用効率の低下を補完するためのランニングコストが上昇し、延いては省エネルギー化に逆行するものとなる。
【０００９】
また、フットライトには、歩行者の足元を照らして歩行の安全を確保するという目的の他に、暗闇の中で歩行者の進路を示す誘導標識となる「アプローチライト」のような役割を持たせることが考えられる。
【００１０】
しかしながら、上記従来のＬＥＤフットライトは、ＬＥＤ光源から発せられた直接光を利用しているために、その光が歩行者の目に極力入らないように（歩行者に眩惑を与えないようにする）する程度で、足元照明以外の役割については考慮していなかった。尤も、上述したようにＬＥＤ光源から発せられる光は比較的狭指向性であるために、ＬＥＤ光源の直接光によって足元照明とアプローチライトの両方の機能を持たせることは配光特性上困難なことではあった。
【００１１】
更に、フットライトは、その用途から屋外に設置される場合もあるために高い気密性が要求されるものであり、そのため上記従来のＬＥＤフットライトは回路部品、ＬＥＤ及びそれらを実装する基板をシリコーン樹脂、ウレタン樹脂或いはエポキシ樹脂等の封止樹脂で樹脂封止することによって対応していた。しかしながら、長期間の使用に際してＬＥＤの点灯・消灯及び自然環境下に於ける温度変化によってＬＥＤと封止樹脂との界面に剥離を生じ、その隙間から水分が浸入してＬＥＤに不具合を齎してＬＥＤの不点灯を誘発することになる。つまり、樹脂封止では完全な防水性（シール性）を確保することは困難である。
【００１２】
そこで、本発明は上記問題に鑑みて創案なされたもので、その目的とするところは、床面或いは地面の近傍に設置することによって、ＬＥＤ光源の点灯時には床面或いは地面を広範囲に明るく照明する足元照明と、歩行者に眩惑を与えることのない視認性の良好なアプローチライトとの両方の役割を果たし、ＬＥＤ光源の消灯時には意匠的に優れた見映えを有する、低消費電力、長寿命で高信頼性の、ＬＥＤを光源とするフットライトを実現するものである。
【課題を解決するための手段】
【００１３】
上記課題を解決するために、本発明の請求項１に記載された発明は、透光性部材からなるレンズとハウジングとによって気密空間が形成され、該気密空間内に少なくとも前記レンズと対向する面を反射面とするリフレクタと、
前記反射面の一部に光を照射するＬＥＤとを有するＬＥＤフットライトであって、
前記リフレクタはＬＥＤから発せられる光を反射すると同時に配光制御して前記ＬＥＤフットライトの中心軸を含む水平面よりも略下方に向ける反射面を有することを特徴とするものである。
【００１４】
また、本発明の請求項２に記載された発明は、請求項１において、前記リフレクタがＬＥＤから発せられる光を反射すると同時に配光制御して前記ＬＥＤフットライトの中心軸を含む水平面よりも略上方に向ける反射面を有することを特徴とするものである。
【００１５】
また、本発明の請求項３に記載された発明は、請求項１又は２の何れか１項において、前記リフレクタがＬＥＤから発せられた光の反射に寄与しない反射面を有していることを特徴とするものである。
【００１６】
また、本発明の請求項４に記載された発明は、請求項１〜３の何れか１項において、前記リフレクタの反射面がアルミ蒸着膜又はクロムメッキ膜の少なくとも何れか一方で構成されていることを特徴とするものである。
【００１７】
また、本発明の請求項５に記載された発明は、請求項１〜４の何れか１項において、前記レンズの主光出射面が配光制御に寄与しない素通しレンズで構成されていることを特徴とするものである。
【発明の効果】
【００１８】
本発明のＬＥＤフットライトは、ハウジングとレンズとで形成された気密空間内にリフレクタとＬＥＤ及び回路部品実装基板とを内蔵してＬＥＤフットライトを構成した。そして、リフレクタはレンズと対向する面に隆起部が形成されて表面が高反射率面となっており、配光特性制御部、ローレット部及び化粧パネル部の３つの部分から構成されている。配光特性制御部はＬＥＤ光を反射して配光パターンを制御することによって床面或いは地面を照明する足元照明に寄与し、ローレット部はＬＥＤの散乱光を歩行者に向けることによって歩行者の進路を視覚的に認識させる誘導表示に寄与し、化粧パネル部は光学系には無関係にＬＥＤフットライトを観視したときの見映えを向上させ、外観意匠性に優れた照明装置の演出に寄与する。
【００１９】
よって、ＬＥＤを光源としたことで白熱灯や蛍光灯に対して低消費電力、長寿命であり、一つの施設に多数のＬＥＤフットライトを取り付けた場合でもランニングコストを低くできると共に、メンテナンスがほとんど不要である。
【００２０】
また、リフレクタの配光特性制御部がＬＥＤ光で足元を照明し、ローレット部が歩行者に進路を認識させるように働くため、足元灯と誘導灯の２つの機能を果たすことができる。
【００２１】
また、明るい周囲環境のなかでＬＥＤフットライトを観視したときにリフレクタの化粧パネル部及び配光特性制御部のメタリック調の質感が見映えを向上させ、外観意匠性に優れた照明装置を演出することができる。
【００２２】
更に、ＬＥＤ、回路部品及びそれらを実装した基板が、ハウジングとレンズとによって構成された密閉空間内に配置されており、高いシール性（防水性）が確保されている。よって、屋外に設置された場合でも厳しい自然環境のなかで優れた性能を維持することが可能であり、信頼性の高い照明装置ということができる。
【発明を実施するための最良の形態】
【００２３】
以下、この発明の好適な実施形態を図１〜図７を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００２４】
図１は本発明のＬＥＤフットライトに係わる実施形態を示す断面図である。本実施形態は主に、光源となる少なくとも１個以上のＬＥＤ１、図示してはいないが回路部品、基板２、リフレクタ３、レンズ４及びハウジング５によって構成されている。以下に夫々の構成要素について説明する。
【００２５】
まず、ＬＥＤ１は砲弾型と称されるものであり一般的な構造は、一列に、且つ平行に配置された複数本のリードフレームのうちの少なくとも１本以上のリードフレームの先端部に導電性部材を介して発光源となるＬＥＤチップが載置され、ＬＥＤチップの下側電極と該ＬＥＤチップが載置されたリードフレームとが電気的に導通されている。一方、ＬＥＤチップの上側電極はボンディングワイヤを介して他のリードフレームに接続され、ＬＥＤチップの上側電極とリードフレームとが電気的に導通されている。そして、ＬＥＤチップを含むリードフレームの先端部が透光性樹脂によって砲弾形に樹脂封止され、ＬＥＤチップの上方に封止樹脂による球面或いは非球面のレンズ面が形成されている。
【００２６】
本実施形態に於いて使用するＬＥＤランプは具体的には、上記一般的な砲弾型ＬＥＤランプの構造に基づき、リードフレームのみを一対のリードフレームで構成したものである。なお、ＬＥＤランプを構成するリードフレームの数は、ＬＥＤランプの明るさや発光色などの光学特性に基づくＬＥＤチップの使用数や、ＬＥＤチップの素子構造などを考慮して適宜決定される。
【００２７】
なお、本実施形態では光源として砲弾型ＬＥＤを使用しているが、ＬＥＤはこれに限定されるものではなく、表面実装型ＬＥＤ等の他の形状或いは他の実装方法のＬＥＤも使用可能である。
【００２８】
次に、基板２はガラスエポキシ基板、紙フェノール基板などの樹脂をベースにした種類のものであり、基板の回路構成、基板が晒される使用環境、基板の特性及びコストなどを考慮して適宜最適なものが選択される。そして、このような基板２に上記ＬＥＤ１及び回路部品が実装されてＬＥＤ及び回路部品実装基板が形成され、該ＬＥＤ及び回路部品実装基板はリフレクタ３から延びた基板ガイド６に沿って挟持されている。
【００２９】
次に、レンズ４は透光性樹脂からなり、前面が閉口し後面が開口した内部空間７を有している。レンズ４の前面閉口部は外部に対する光出射部８となり、該光出射部８は両面共にレンズカットが施されていない素通しレンズとなっている。よって、レンズ４の光出射部８では配光制御は行なわれない。
【００３０】
次に、ハウジング５は非透光性樹脂からなり、前面が開口し後面が閉口した内部空間９を有している。
【００３１】
レンズ４とハウジング５とは、夫々の開口部を互いに対向させた状態でハウジング５の環状の開口端部１０にレンズ４の環状の開口端部１１を当接させて位置合わせが行なわれ、超音波溶着、レーザ溶着などの方法によって溶着され、固定されている。よって、レンズ４及びハウジング５で一体化された夫々の内部空間７、９は溶着面１２を介して気密性が確保されている。
【００３２】
そして、リフレクタ３及びリフレクタ３から延びた基板ガイド６に沿って挟持されているＬＥＤ及び回路部品実装基板２は、上記レンズ４及びハウジング５で一体化された夫々の気密性を有する内部空間７、９内に組み込まれており、ハウジング５の環状の開口端部１０とレンズ４の開口縁内周部に形成された環状の切り欠き部１３とで囲まれた空間にリフレクタ３の環状の縁部１４が嵌合され、位置決めされて固定されている。
【００３３】
次に、リフレクタ３について詳細に説明する。リフレクタ３は二つの役割を担っている。その一つはＬＥＤ光源から発せられた光を反射させて光路を制御することによって所望する配光特性を実現する役割である。他の一つはＬＥＤ光源から発せられた光に係わる光学系には無関係で、ＬＥＤフットライトを観視したときの見映えを向上させるための意匠としての役割である。
【００３４】
図２はリフレクタ３の斜視図である。リフレクタ３は少なくとも、開口１５を有する額縁状の化粧パネル部１６と、開口の一端から後方に向かって凹曲面状に立ち上がった配光特性制御部１７と、前記配光特性制御部１７が化粧パネル部１６から立ち上がる部分に化粧パネル部１６に略直交する面が直線上に形成され、その面上にローレット加工が施されたローレット部１８とで構成されている。
【００３５】
化粧パネル部１６及び配光特性制御部１７には、隆起部１９が縦横に夫々の面に所定数連続して形成されている。この隆起部１９は、稜線１９ａ、１９ｂ、１９ｃ、１９ｄによって囲まれており、その形状が略方形状を為している。稜線１９ａ、１９ｂ、１９ｃ、１９ｄのうち、稜線１９ａ、１９ｂは、共に矢印Ａ方向（ＬＥＤフットライト取り付け時における上方向）から見たときに円弧形状に形成されている。また、稜線１９ａ、１９ｂは矢印Ａ方向から見た時の円弧形状の頂部の高さを比較したときに、上方の稜線１９ａよりも下方の稜線１９ｂの高さの方が高くなるように形成されている。
【００３６】
また、稜線１９ａ、１９ｂ、１９ｃ、１９ｄのうち、稜線１９ｃ、１９ｄは、共に矢印Ｂ方向（ＬＥＤフットライト取り付け時における側面方向）から見たときに、凹状に形成されている。そして、このような稜線１９ａ、１９ｂ、１９ｃ、１９ｄによって囲まれる隆起部１９の表面部分の面形状は、矢印Ａ（上下）方向から見たときに稜線１９ａ、１９ｂに合わせて円弧状に形成され、且つ、矢印Ｂ（側面）方向から見たときに稜線１９ｃ、１９ｄに合わせて凹状に形成されている。すなわち、この隆起部１９の表面部分は、上下方向及び側面方向からの三次曲面形状を有している。
【００３７】
また、少なくとも化粧パネル部１６及び配光特性制御部１７に形成された隆起部１９の表面及びローレット部１８の表面にはアルミ蒸着膜が形成され、光の高反射率面となっている。なお、本実施形態ではアルミ蒸着膜で高反射率面を形成しているが、その他クロムメッキ膜でも高反射率面を形成することができる。
【００３８】
ここで、本発明のＬＥＤフットライトの光学系について説明する。図３はＬＥＤ光源とリフレクタとの関係を示す側面図である。リフレクタ３の化粧パネル部１６の開口端部から立ち上がった配光特性制御部１７は第一反射面２０、第二反射面２１及び第三反射面２２の３つの異なる曲面の反射面からなっている。そして、配光特性制御部１７の上方には光源となるＬＥＤ１が発光光の出射方向を配光特性制御部１７に向けて配置されている。
【００３９】
まず、ＬＥＤ１から出射されて配光特性制御部１７の第一反射面２０に向かう光ａは、アルミ蒸着面が形成された第一反射面２０で反射されてＬＥＤフットライトの中心軸を含む水平面より下方向に向かい、開口部を通って前方に配置されたレンズの光出射部に至る。そして、光出射部がレンズカットが施されていない素通しレンズであるために光出射部に至った光は光出射面から方向を保って前記水平面より下方向に向けて外部に放出される。
【００４０】
また、ＬＥＤ１から出射されて配光特性制御部１７の第二反射面２１に向かう光ｂは、アルミ蒸着面が形成された第二反射面２１で反射されてＬＥＤフットライトの中心軸を含む水平面より下方向に向かい、開口部を通って前方に配置されたレンズの光出射部に至り、光出射面から方向を保って前記水平面より下方向に向けて外部に放出される。
【００４１】
また、ＬＥＤ１から出射されて配光特性制御部１７の第三反射面２２に向かう光ｃは、アルミ蒸着面が形成された第三反射面２２で反射されてＬＥＤフットライトの中心軸を含む略水平方向に向かい、開口部を通って前方に配置されたレンズの光出射部に至り、光出射面から方向を保って前記略水平方向に向けて外部に放出される。
【００４２】
ところで、ＬＥＤの照射光と、夫々の反射面２０、２１、２２の照射点に於ける法線とのなす角（交角）は、第一反射面２０が最も大きく、次に第二反射面２１、その次が第三反射面２２である。つまり、ＬＥＤの照射光に対して交角が最も大きい第一反射面２０はＬＥＤの出射光を最も下方向に向けるように働き、床面或いは地面のＬＥＤフットライトに最も近い領域の照射に寄与するものである。
【００４３】
同様に、第一反射面２０に次いでＬＥＤの照射光との交角が大きい第二反射面２１が、床面或いは地面のＬＥＤフットライトに近い領域の照射に寄与し、第三反射面２２が床面或いは地面のＬＥＤフットライトに最も遠い領域の照射に寄与するものである。
【００４４】
すなわち、第一反射面２０及び第二反射面２１の夫々が照射する領域に対して第三反射面２２が照射する範囲は極めて広いことになる。そのため、第一反射面２０及び第二反射面２１に対して第三反射面２２の面積を広くすることによって光量の多くを第三反射面２２で反射させ、ＬＥＤフットライトに遠い場所でも床面或いは地面が明るく照らされるような手段を施している。ＬＥＤフットライトは、複数の反射面により配光を制御することで従来品より広く照らすことができ、または低い取り付け位置でも所望の照明効果が得られる。
【００４５】
更に、ＬＥＤ１から出射されてローレット部１８に向かう光ｄは、アルミ蒸着面が形成されたローレット部１８表面で反射されてＬＥＤフットライトの中心軸を含む水平面より上方向に向かい、開口部を通って前方に配置されたレンズの光出射部に至り、光出射面から方向を保って前記水平面より上方向に向けて外部に放出される。
【００４６】
つまり、ＬＥＤ１から出射されてローレット部１８表面で反射されて外部に出射した光は、ＬＥＤフットライトの上方に照射され、ＬＥＤフットライトが床面或いは地面に近い下方に取り付けられたとしても、歩行者の目線まで光が到達することになる。その結果、暗闇での歩行者に対するアプローチライト（誘導灯）の役割を果たすことになる。
【００４７】
なお、ＬＥＤフットライトの略横方向の配光は、ＬＥＤ１から出射された光が配光特性制御部１７に形成された隆起部１９の円弧状の湾曲面に照射されることによって、ＬＥＤフットランプの中心軸に対して左右９０°の範囲内（ＬＥＤフットライトの横方向）に亘って所定の分布に配光パターンが形成される。そのため、床面及び地面に対して広範囲に亘って照明が行き渡り、暗闇に於ける歩行者の安全歩行を補助する役割を十分に果たすものである。
【００４８】
また、ローレット部１８に於いても、ＬＥＤ１から放射された光はローレットによって反射されてＬＥＤフットライトの略横方向に対して広角範囲に亘って所定の配光パターンが形成される。その結果、斜め上方からでも歩行者がＬＥＤフットライトを確認することが可能となり、アプローチランプとしての理想的な配光特性によって高い視認性を発揮すると共に、ローレットによって反射された光が適度に分散されるためにグレアと呼ばれる光の眩惑を歩行者に与えることがなく、眼に優しくて不快感を与えない標識灯の役割も果たすものである。
【００４９】
更に、リフレクタ３の化粧パネル部１６はＬＥＤフットライトの光学系には関与しないが、表面が高反射率のアルミ蒸着膜であるために、明るい周囲環境のなかでＬＥＤフットライトを観視したときに化粧パネル部１６のメタリック調の質感が見映えを向上させ、外観意匠性に優れた照明装置を演出するものである。なお、明るい周囲環境のなかでは、配光特性制御部１７も化粧パネルの役割を担い、外観上リフレクタ全面がメタリック調に演出されることになる。
【００５０】
なお、図示してはいないが、ＬＥＤフットライトのハウジングには貫通孔が設けられ、該貫通孔にグロメットが取り付けられている。そして、ＬＥＤ及び回路部品を駆動させる電力を外部から供給するためのハーネスがグロメットを介して外部に導出されており、レンズとハウジングとの溶着によるシールと共に、ＬＥＤ、回路部品及びそれらを実装した基板が配置された空間内の気密性を確保している。
【００５１】
また同様に、図示してはいないが、ＬＥＤフットライトのハウジングには、呼吸穴と称される貫通孔が設けられている。この呼吸穴には、ハウジング外方に延びる筒状の部分に、ゴム製の栓が挿入されている。そして、呼吸穴は、気温の変化などによってハウジング内部と外部との間で生じる気圧差を、呼吸穴と栓との隙間から逃がすことによって緩和する。
【００５２】
また、ＬＥＤは定電流駆動で点灯するような回路構成になっており、電源電圧が変動したとしても一定の電流で点灯するようにしている。そのため、常に照射範囲内が一定の明るさで照明される。
【００５３】
次に、本発明のＬＥＤフットライトの床面或いは地面に対する配光特性を実測値に基づいて説明する。図４は配光特性の測定ポイントを示した説明図である。照明する床面或いは地面からＬＥＤフットライトの下端までの高さを１００ｍｍとし、且つＬＥＤフットライトの中心軸が床面或いは地面と平行になるように配置する。そして、ＬＥＤフットライトの中心軸方向をＸ軸、Ｘ軸に垂直な軸をＹ軸とし、床面或いは地面上のＸ−Ｙ座標上の予め定められた位置（Ｘは１００〜９００ｍｍの範囲内、Ｙは０〜±４００ｍｍの範囲内に於いて）の照度を測定した。図５はその測定値、図６は照度分布、図７は照度が２ｌｘの等照度線図である。
【００５４】
図５及び図６から分かるように、ＬＥＤフットライトからＸ方向１００ｍｍの位置の照度（５５．００ｌｘ）を最高値として、ＬＥＤフットライトからＸ方向及びＹ方向共に遠ざかるに従って照射面の照度が低下している。また、Ｘ軸を中心として＋Ｙの位置と−Ｙの位置の照度は略等しい値となっている。つまり、ＬＥＤフットライトの照度分布はＸ軸を中心とした略線対称であることを示している。
【００５５】
このような照度分布に於いて、ＬＥＤフットライトとしての照明機能を果たす照度を２ｌｘ以上と想定した場合、図７に示すように２ｌｘ以上の照度で照明される範囲は、ＬＥＤフットライトのＸ方向（長軸）が約７００ｍｍ、Ｙ方向（短軸）が約５００ｍｍの楕円で示される領域となっている。これは、一般住宅に於ける階段の２段分に相当する面積であり、床面或いは地面から１００ｍｍの低い位置に取り付けられたＬＥＤフットライトであっても、ＬＥＤフットライトとして十分な範囲を明るく照明できることが確認できた。
【００５６】
なお、リフレクタに形成される隆起部は本実施例に示した形状に限られるものではなく、所望する配光パターンに基づいて、最良の形状が適宜設定される。
【００５７】
また、本発明のＬＥＤフットランプは上述の用途の他に、屋内或いは屋外で一般の照明装置として使用することも当然可能である。
【００５８】
以上説明したように、本発明のＬＥＤフットライトは、ＬＥＤを光源としているため低消費電力、長寿命であり、一つの施設に多数のＬＥＤフットライトを取り付けた場合でもランニングコストを低くできると共に、メンテナンスがほとんど不要である。
【００５９】
また、複数の隆起部が縦横に夫々の所定数だけ連続して形成され、該隆起部の表面にアルミ蒸着面を形成して反射面としたリフレクタが、開口を有する額縁状の化粧パネル部と、開口の一端から後方に向かって凹曲面状に立ち上がった配光特性制御部と、配光特性制御部が化粧パネル部から立ち上がる部分に化粧パネル部に略直交する面に直線状に形成されたローレット部とで構成されている。
【００６０】
そして、ＬＥＤから発せられた光はリフレクタの配向特性制御部によって水平面より下方に向けて反射されると同時に、床面或いは地面を照射する配光パターンが形成される。そのため、ＬＥＤ光源からの直接光で照明する場合に比べて必要な位置に必要な光量を有効に照射するための配光制御が可能となり、光の利用効率の高い照明装置を実現することができる。
【００６１】
また、配向特性制御部と共に、光学系に関与しない化粧パネル部もアルミ蒸着による光反射面とすることにより、明るい周囲環境のなかでＬＥＤフットライトを観視したときにメタリック調の質感が見映えを向上させ、外観意匠性に優れた照明装置を演出するものである。
【００６２】
また、ＬＥＤから出射されてローレット部表面で反射されて外部に出射した光はＬＥＤフットライトの水平面より上方に照射され、ローレットで乱反射されたグレアを含まない光が歩行者に眩惑を与えることなく認識されるようになっている。その結果、暗闇での歩行者に対するアプローチライト（誘導灯）の役割も果たすものである。上記配光特性制御部及び化粧パネル部同様ローレット部も見映えを向上させる働きも担っている。
【００６３】
また、光源となるＬＥＤは定電流駆動で点灯されるため、電源電圧の変動に対しても明るさの変化が少なく、安定した明るさで床面或いは地面が照明される。
【００６４】
更に、ＬＥＤ、回路部品及びそれらを実装した基板が、溶着されたハウジングとレンズとによって密閉されており、高いシール性（防水性）が確保されている。よって、屋外に設置された場合でも厳しい自然環境のなかでも長期間に亘って優れた性能を維持することが可能である。
【図面の簡単な説明】
【００６５】
【図１】本発明のＬＥＤフットライトに係わる実施形態の断面図である。
【図２】本発明のＬＥＤフットライトに係わる実施形態を構成するリフレクタの斜視図である。
【図３】本発明のＬＥＤフットライトに係わる実施形態の光学系を示す概略図である。
【図４】本発明のＬＥＤフットライトに係わる実施形態の照度測定ポイントを示す説明図である。
【図５】本発明のＬＥＤフットライトに係わる実施形態の照度測定値を示すデータシートである。
【図６】本発明のＬＥＤフットライトに係わる実施形態の照度分布を示すグラフである。
【図７】本発明のＬＥＤフットライトに係わる実施形態の照度分布に於ける等照度線を示すグラフである。
【図８】従来のＬＥＤフットライトを示す断面図である。
【符号の説明】
【００６６】
１    ＬＥＤ
２    基板
３    リフレクタ
４    レンズ
５    ハウジング
６    基板ガイド
７    内部空間
８    光出射部
９    内部空間
１０    開口端部
１１    開口端部
１２    溶着面
１３    切り欠き部
１４    縁部
１５    開口
１６    化粧パネル部
１７    配光特性制御部
１８    ローレット部
１９    隆起部
１９ａ、１９ｂ、１９ｃ、１９ｄ    稜線
２０    第一反射面
２１    第二反射面
２２    第三反射面
【図１】
2006331988.tif 000003
【図２】
2006331988.tif 000004
【図３】
2006331988.tif 000005
【図４】
2006331988.tif 000006
【図５】
2006331988.tif 000007
【図７】
2006331988.tif 000008
【図８】
2006331988.tif 000009
【図６】
2006331988.tif 000010